(57)【要約】【課題】部接続装置の剛性及び放熱性能を確保することができ、且つ、良好な無線通信性能を有する撮像システムを提供する。【解決手段】撮像システム１０００は、第１の無線通信部１０８を有する撮像装置１００と、第１の無線通信部１０８と無線通信を行う第２の無線通信部２３１を有し、撮像装置１００に対して着脱可能な外部接続装置２００とを備える。第１の無線通信部１０８は、撮像装置１００の撮像光軸よりも外部接続装置２００が装着される装着面側に配置され、外部接続装置２００が撮像装置１００に装着された状態で、第１の無線通信部１８と第２の無線通信部２３１は、撮像装置１００に対する外部接続装置２００の装着方向と直交する方向で対向する構造とする。【選択図】図５
2020170109.tif 000002
【特許請求の範囲】
【請求項１】
第１の無線通信手段を有する撮像装置と、
前記第１の無線通信手段と無線通信を行う第２の無線通信手段を有し、前記撮像装置に対して着脱可能な外部接続装置と、を備える撮像システムであって、
前記第１の無線通信手段は、前記撮像装置の撮像光軸よりも前記外部接続装置が装着される装着面側に配置され、
前記外部接続装置が前記撮像装置に装着された状態で、前記第１の無線通信手段と前記第２の無線通信手段は、前記撮像装置に対する前記外部接続装置の装着方向と直交する方向で対向していることを特徴とする撮像システム。
【請求項２】
前記外部接続装置は、前記撮像装置の内部に収容される挿入部を備え、
前記撮像装置は、前記挿入部を収容する収容部を備え、
前記第２の無線通信手段は、前記挿入部に配置され、前記挿入部が前記収容部に収容された状態で前記第１の無線通信手段と対向することを特徴とする請求項１に記載の撮像システム。
【請求項３】
前記収容部を形成する壁部であって、前記第１の無線通信手段と対向する壁部は凹部を有し、
前記挿入部を形成する壁部であって、前記第２の無線通信手段と対向する壁部は凸部を有し、
前記収容部に前記挿入部が収容された状態で前記凹部と前記凸部とが対向することを特徴とする請求項２に記載の撮像システム。
【請求項４】
前記凹部と前記凸部との間の距離は、前記第１の無線通信手段と対向する前記収容部の壁部において前記凹部が形成されていない領域と前記第２の無線通信手段と対向する前記挿入部の壁部において前記凸部が形成されていない領域との間の距離よりも小さいことを特徴とする請求項３に記載の撮像システム。
【請求項５】
前記撮像装置は、
前記第１の無線通信手段を実装した第１の基板を備え、
前記第１の基板において前記第１の無線通信手段が実装されている面は、前記撮像装置に対する前記外部接続装置の装着方向と平行であり、且つ、前記収容部に向いていることを特徴とする請求項２乃至４のいずれか１項に記載の撮像システム。
【請求項６】
前記撮像装置は、
前記第１の基板に実装され、前記第１の無線通信手段を制御する制御手段と、
前記第１の基板に実装され、画像データを記憶する記憶手段を格納する格納手段と、を備え、
前記格納手段と前記第１の無線通信手段は前記第１の基板の同じ面に実装され、
前記第１の基板は、前記第１の無線通信手段と前記格納手段との間の位置で、前記収容部を形成する壁部に固定されていることを特徴とする請求項５に記載の撮像システム。
【請求項７】
前記撮像装置は、電池室を備え、
前記収容部は前記電池室であることを特徴とする請求項２乃至６のいずれか１項に記載の撮像システム。
【請求項８】
前記撮像装置は、前記撮像装置の背面に配置され、前記第１の無線通信手段を実装した第２の基板を備え、
前記外部接続装置は、前記第２の無線通信手段を内部に有する突起部を有し、
前記外部接続装置が前記撮像装置に装着された状態で、前記突起部は前記撮像装置の背面側に位置して、前記第１の無線通信手段と前記第２の無線通信手段とが対向することを特徴とする請求項１に記載の撮像システム。
【請求項９】
前記撮像装置は、その底面に配置された底面カバーを有し、
前記外部接続装置は、その上面に配置され、前記外部接続装置が前記撮像装置に装着された状態で前記底面カバーと当接する上面カバーを有し、
前記外部接続装置の前記突起部は、前記上面カバーよりも前記撮像装置に対する装着方向に突出していることを特徴とする請求項８に記載の撮像システム。
【請求項１０】
前記撮像装置は、その背面に配置された背面カバーを有し、
前記背面カバーは、第１の操作部材が配置される第１の面と、前記第１の面よりも前記撮像装置の内部側へ凹んでいる第２の面と、を有し、
前記第１の無線通信手段は、前記第２の基板において前記第２の面と対向する位置に実装されていることを特徴とする請求項９に記載の撮像システム。
【請求項１１】
前記撮像装置の前記第２の面において前記第１の無線通信手段と対向する位置に開口部が設けられ、
前記撮像装置の光軸方向から見て、前記開口部の投影領域内に前記第１の無線通信手段が納まり、前記突起部の投影領域内に前記開口部が納まることを特徴とする請求項１０に記載の撮像システム。
【請求項１２】
前記外部接続装置は、
第２の操作部材と、
前記第２の操作部材の動作を検出する検出手段を実装した第３の基板を有し、
前記第２の無線通信手段は、前記第３の基板に実装されていることを特徴とする請求項１及び８乃至１１のいずれか１項に記載の撮像システム。
【請求項１３】
外部接続装置の着脱が可能な撮像装置であって、
撮像センサと、
前記撮像センサの撮像面と平行な、樹脂からなる壁部を有する電池室と、
撮像光軸よりも前記外部接続装置が装着される装着面側において、前記電池室の前記壁部と対向するように配置された無線通信手段と、を備えることを特徴とする撮像装置。
【請求項１４】
外部接続装置の着脱が可能な撮像装置であって、
前記撮像装置の背面に配置された、樹脂からなる背面カバーと、
前記背面カバーに形成された開口部を前記背面カバーの外側から覆うゴム部材と、
前記撮像装置の内部の撮像光軸よりも前記外部接続装置が装着される装着面側において、前記開口部と対向するように配置された無線通信手段と、を備えることを特徴とする撮像装置。
【請求項１５】
撮像装置に着脱可能な外部接続装置であって、
内部に無線通信手段を有し、前記撮像装置の電池室に挿入される挿入部を備え、
前記挿入部は、前記撮像装置に対する前記外部接続装置の装着方向と平行な樹脂からなる壁部を有し、
前記無線通信手段は、前記壁部と対向していることを特徴とする外部接続装置。
【請求項１６】
撮像装置に着脱可能な外部接続装置であって、
前記外部接続装置が前記撮像装置に装着された状態で前記撮像装置の底面カバーと当接する上面カバーと、
樹脂で形成され、前記上面カバーよりも前記撮像装置に対する装着方向に突出した突起部と、
前記突起部の内部に配置された無線通信手段と、を備えることを特徴とする外部接続装置。
【発明の詳細な説明】
【技術分野】
【０００１】
本発明は、撮像システム、撮像装置及び外部接続装置に関し、特に撮像装置と外部接続装置との間で無線通信を行う撮像システムに関する。
【背景技術】
【０００２】
操作部材、記憶装置及び電源を備え、撮像装置と電気的に接続されて操作部材からの撮像装置への指令信号の送信、記憶装置と撮像装置との間での画像データ等の送受信、撮像装置への給電等を行う外部電源装置が知られている（特許文献１参照）。例えば、撮像装置と、撮像装置の底面に対して着脱可能な外部電源装置からなる撮像システムとして、撮像装置と外部電源装置との着脱面を挟んで一対のデータ通信手段を配置したものが知られている。撮像装置と外部電源装置の間でのデータ通信手段としては、例えば、ＮＦＣ（Near Field Communication）等の近距離無線通信が用いられている。
【先行技術文献】
【特許文献】
【０００３】
【特許文献１】特開２０１５−２０３８２５号公報
【発明の概要】
【発明が解決しようとする課題】
【０００４】
上記従来技術に係る撮像システムでは、外部電源装置の撮像装置に対する装着面側のカバーの直下には、外部電源装置の剛性を高め、また、撮像装置から伝わる熱を放熱するための金属板が配置されている。一方、近距離無線通信の性能を確保するためには、近距離無線通信手段同士の間に導電部材を配置しないことが必要とされる。そのため、上記従来技術では、金属板に開口部を設けなければならず、その結果、外部電源装置での剛性や放熱性能が低下してしまう懸念がある。
【０００５】
本発明は、外部接続装置の剛性及び放熱性能を確保することができ、且つ、良好な無線通信性能を有する撮像システムを提供することを目的とする。
【課題を解決するための手段】
【０００６】
本発明に係る撮像システムは、第１の無線通信手段を有する撮像装置と、前記第１の無線通信手段と無線通信を行う第２の無線通信手段を有し、前記撮像装置に対して着脱可能な外部接続装置と、を備える撮像システムであって、前記第１の無線通信手段は、前記撮像装置の撮像光軸よりも前記外部接続装置が装着される装着面側に配置され、前記外部接続装置が前記撮像装置に装着された状態で、前記第１の無線通信手段と前記第２の無線通信手段は、前記撮像装置に対する前記外部接続装置の装着方向と直交する方向で対向していることを特徴とする。
【発明の効果】
【０００７】
本発明によれば、外部接続装置の剛性及び放熱性能を確保することができ、且つ、良好な無線通信性能を有する撮像システムを提供することができる。
【図面の簡単な説明】
【０００８】
【図１】第１実施形態に係る撮像システムと、撮像システムを構成する撮像装置及び外部電源装置及びの外観斜視図である。
【図２】第１実施形態に係る撮像システムの機能ブロック図である。
【図３】第１実施形態での撮像装置の骨格部を示す斜視図及び分解斜視図である。
【図４】第１実施形態での外部接続装置の本体部の斜視図である。
【図５】図１（ａ）に示した矢視Ａ−Ａでの部分的な断面図である。
【図６】第２実施形態に係る撮像システムの外観斜視図である。
【図７】第２実施形態での撮像装置の斜視図である。
【図８】第２実施形態での外部接続装置の斜視図である。
【図９】第２実施形態での撮像装置の分解斜視図である。
【図１０】第２実施形態での撮像装置の背面部の分解斜視図である。
【図１１】第２実施形態での外部接続装置の分解斜視図である。
【図１２】図６に示した矢視Ｂ−Ｂでの部分的な断面図である。
【発明を実施するための形態】
【０００９】
以下、本発明の実施形態について、添付図面を参照して詳細に説明する。先ず、本発明の第１実施形態に係る撮像システムについて説明する。
【００１０】
図１（ａ）は、第１実施形態に係る撮像システム１０００の外観斜視図である。撮像システム１０００は、撮像装置１００と、撮像装置１００に対して着脱可能な外部接続装置２００とを有する。撮像装置１００は、所謂、デジタル一眼レフカメラのカメラ本体である。外部接続装置２００は、撮像装置１００への電源供給、撮像装置１００への撮像動作指示、近距離無線通信による撮像装置１００との間での画像データ授受等を行うことが可能なカメラアクセサリの１つである。図１（ｂ）は、撮像装置１００の外観斜視図である。図１（ｃ）は、外部接続装置２００の外観斜視図である。
【００１１】
説明の便宜上、図１（ａ）〜（ｃ）に示すように、互いに直交するＸ方向、Ｙ方向及びＺ方向を規定し、矢印の向いている方向が正（＋）方向であるとし、その逆方向を負（−）方向とする。Ｚ方向は、撮像装置１００の内部に装備された撮像センサ１０３（図２及び図３（ｂ）参照）の撮像面と直交する方向である。Ｘ方向とＺ方向が水平面と平行になっているときに、Ｙ方向は水平面と直交する（鉛直方向と平行になる）。Ｘ方向及びＺ方向が水平方向と略平行であるときの撮像システム１０００の姿勢を正姿勢と称呼する。撮像システム１０００が正姿勢の状態にあるとき、外部接続装置２００は、外観上、撮像装置１００の下側に位置する。
【００１２】
撮像装置１００は、外装部材である上面カバー１５１、前面カバー１５２及び背面カバー１５３によって覆われている。上面カバー１５１には、レリーズボタン１１１、電子ダイヤル１１２及びモードダイヤル１１３が配置されている。レリーズボタン１１１は、撮像装置１００へ撮影指示を出すための操作部材である。レリーズボタン１１１が押し込まれると、撮像装置１００での撮像動作が実行される。電子ダイヤル１１２は、撮像装置１００での撮像条件等を設定するための操作部材である。電子ダイヤル１１２を操作することで、露出設定等の任意の撮影パラメータを設定することが可能となっている。モードダイヤル１１３は撮影モードを変更可能するための操作部材である。
【００１３】
撮像装置１００を正面側から見たときの左側には、撮影者が撮像を行う際に撮像装置１００を把持するためのグリップ部１４５が設けられている。撮像装置１００の正面側の略中央部には、不図示のレンズ鏡筒（交換レンズ）を着脱可能とするためのマウント１４０が設けられている。
【００１４】
外部接続装置２００は、Ｘ方向を長手方向とする本体部２１０と、本体部２１０のＸ方向の一端近傍において＋Ｙ方向に突出する挿入部２２０を有する。外部接続装置２００は、回転部材２１１を回転操作して三脚ねじ２１２を回転させ、撮像装置１００に設けられた不図示の三脚ねじ穴に三脚ねじ２１２を螺合させることによって、撮像装置１００に装着される。このとき、挿入部２２０は、撮像装置１００のグリップ部１４５に設けられた収容部（不図示）に収容される。なお、撮像装置１００の収容部は、具体的には、電池室１７０（図３参照）である。
【００１５】
外部接続装置２００は、その内部に不図示の１つ又は複数の電池を収容することができ、挿入部２２０の先端部近傍に設けられた第２の接続端子２２１（図２参照）を介して撮像装置１００に電力を供給することができる。挿入部２２０は、通信部２３０を有する。通信部２３０には、図２を参照して後述する第２の無線通信部２３１が配置されている。
【００１６】
図２は、撮像システム１０００の機能ブロック図である。なお、図２に示す各構成要素のうち、図１に示したものについては、同じ符号を付す。撮像装置１００は、第１のＣＰＵ１０１、第１の電源１０２、撮像センサ１０３、画像処理部１０４、シャッタ制御部１０５、シャッタ１０６、第１の接続端子１０７、第１の近距離無線通信部１０８、第１の操作検出部１０９及び第１の操作部材１１０を備える。外部接続装置２００は、第２のＣＰＵ２０１、第２の電源２０２、ストレージ部２０３、第２の操作検出部２０４、第２の操作部材２０５、第２の接続端子２２１及び第２の近距離無線通信部２３１を備える。以下の説明では、第１の近距離無線通信部１０８を「第１の無線通信部１０８」と称呼し、第２の近距離無線通信部２３１を「第２の無線通信部２３１」と称呼する。
【００１７】
第１のＣＰＵ１０１は、メモリから読み出したコンピュータプログラムを実行して、撮像装置１００の各部を統括的に制御することにより、撮像装置１００の全体的な動作を制御する中央演算処理装置である。第１のＣＰＵ１０１、画像処理部１０４、シャッタ制御部１０５等の各種の電気回路（検出回路、制御回路、処理回路等）の多くは、メイン基板１３０（第１の基板）に実装されている。メイン基板１３０は、例えば、プリント配線板である。
【００１８】
第１の電源１０２は、撮像装置１００の各部への給電を行う。なお、撮像装置１００に外部接続装置２００が装着された状態では、撮像装置１００の電池室１７０（図３参照）は使用できなくなり、その代わりに、外部接続装置２００の第２の電源２０２から撮像装置１００への給電が可能となる。
【００１９】
撮像センサ１０３は、具体的にはＣＣＤセンサやＣＭＯＳセンサ等である。画像処理部１０４は、撮像センサ１０３から出力される電気信号（画像信号）を画像データに変換し、第１のＣＰＵ１０１へ出力する。シャッタ１０６は、撮像センサ１０３の前面に配置され、撮像センサ１０３への露光時間を調整する。シャッタ制御部１０５は、ＣＰＵ１０１からの指令に基づいてシャッタ１０６を駆動する。
【００２０】
第１の操作部材１１０は、図１に示したレリーズボタン１１１、電子ダイヤル１１２及びモードダイヤル１１３等を含む。第１の操作検出部１０９は、第１の操作部材１１０に対して行われた操作による第１の操作部材１１０の動作を検出し、検出した動作に対応する信号を第１のＣＰＵ１０１へ送る。
【００２１】
撮像装置１００の第１の無線通信部１０８と外部接続装置２００の第２の無線通信部２３１は、無線通信により画像データや制御信号等の送受信を行う。外部接続装置２００において、第２のＣＰＵ２０１は、外部接続装置２００の各部を統括的に制御することにより、外部接続装置２００の全体的な動作を制御する。また、ＣＰＵ２０１は、撮像装置１００の撮像動作に伴う制御の一部を補完する。
【００２２】
第２の操作部材２０５は、不図示のレリーズボタン、電子ダイヤル等を含む。第２の操作検出部２０４は、第２の操作部材２０５の動作を検出し、検出した動作に対応する信号を第２のＣＰＵ２０１へ送る。第２の電源２０２は、外部接続装置２００の第２の接続端子２２１が撮像装置１００の第１の接続端子１０７に接続された状態で、撮像装置１００への給電を行う。ストレージ部２０３は、第２の無線通信部２３１を介して撮像装置１００から取得した画像データを保存する半導体メモリ等の記憶手段である。
【００２３】
図３（ａ）は、撮像装置１００から上面カバー１５１、前面カバー１５２及び背面カバー１５３を除いた状態（撮像装置１００の骨格部）を示す斜視図である。図３（ｂ）は、図３（ａ）の状態から、メインベース１６０と、撮像センサ１０３を実装した撮像基板１３５及びメイン基板１３０とを、撮像光軸方向に分離させて示す分解斜視図である。なお、図３（ｂ）に示す撮像光軸は、撮像センサ１０３の撮像面と直交している。
【００２４】
メインベース１６０は、撮像装置１００の骨格となる部材であり、樹脂等によって形成されている。メイン基板１３０は、複数のビス（不図示）によりメインベース１６０に固定される。メインベース１６０は、不図示の電池を収納する電池室１７０を有している。なお、撮像装置１００への外部接続装置２００の装着時には、外部接続装置２００の挿入部２２０が電池室１７０の内部に収容される。メインベース１６０の上方にはファインダ１６１とペンタプリズム１６２が設けられており、撮影者はペンタプリズム１６２を通して投影される被写体像をファインダ１６１を通して視認することができる。
【００２５】
撮像センサ１０３は、撮像基板１３５に実装されている。撮像基板１３５は、撮像センサ１０３の撮像面がＺ方向と直交する（ＸＹ平面と平行になる）ように、複数のビス（不図示）によりメインベース１６０に固定される。メイン基板１３０には、撮影画像の画像データを記憶するためのＳＤカード等の記憶媒体（不図示）を格納する外部記憶媒体用コネクタ１３１が実装されている。ＣＰＵ１０１は、直接に又は画像処理部１０４を介して、画像データのメモリカードへの書き込みとメモリカードからの画像データの読み出しを行う。
【００２６】
メイン基板１３０には、第１の無線通信部１０８が実装されている。第１の無線通信部１０８は、無線通信用のアンテナを内部に備えた半導体装置（ＩＣ）である。第１の無線通信部１０８は、メイン基板１３０の前面（メインベース１６０側の面、撮像装置１００の正面側（＋Ｚ方向側の面）に配置される。外部記憶媒体用コネクタ１３１及び第１の無線通信部１０８と、これらを制御するＣＰＵ１０１を１つのメイン基板１３０に配置することにより、電気配線を最短で接続することが可能となっている。
【００２７】
図４（ａ）は、外部接続装置２００の本体部２１０の第１の斜視図である。図４（ｂ）は、外部接続装置２００の本体部２１０の第２の斜視図である。図４（ａ）と図４（ｂ）とでは、本体部２１０を見る方向のみが異なっている。本体部２１０には、制御基板２４０が配置されている。制御基板２４０には、第２のＣＰＵ２０１等の各種回路が実装されている。制御基板２４０には、第２の無線通信部２３１を実装したフレキシブルプリント基板（以下「ＦＰＣ」と記す）２４１が、不図示のコネクタによって電気的に接続されている。第２の無線通信部２３１は、第１の無線通信部１０８と同様に無線通信用のアンテナを内部に備えたＩＣであり、第１の無線通信部１０８と無線通信を行う。第２の無線通信部２３１の無線通信動作の制御は第２のＣＰＵ２０１によって行われる。第２の無線通信部２３１は、ＦＰＣ２４１において、外部接続装置２００が撮像装置１００に装着された状態で撮像装置１００の背面側（−Ｚ方向側）の面に配置される。
【００２８】
図５は、図１（ａ）に示した矢視Ａ−Ａでの部分的な断面図である。撮像装置１００のメイン基板１３０に実装された第１の無線通信部１０８と、外部接続装置２００の通信部２３０（挿入部２２０）の内部に配置されたＦＰＣ２４１に実装された第２の無線通信部２３１とは、Ｚ方向で対向している。換言すれば、第１の無線通信部１０８と第２の無線通信部２３１とは、撮像装置１００に対する外部接続装置２００の装着方向と直交する方向で対向している。
【００２９】
第１の無線通信部１０８と第２の無線通信部２３１とが無線通信を行うためには、第１の無線通信部１０８と第２の無線通信部２３１との間を一定の距離以下に保つ必要がある。撮像システム１０００では、撮像装置１００に外部接続装置２００を装着する際には、通信部２３０を含む挿入部２２０が電池室１７０の内部へ、距離ｄ１を保って装着方向である＋Ｙ方向へ向かって収容されていく。
【００３０】
ここで、電池室１７０を形成する壁部であって、第１の無線通信部１０８とＺ方向で対向する壁部には凹部１７２が設けられており、第１の無線通信部１０８は凹部１７２の凹面と対向している。一方、外部接続装置２００の通信部２３０（挿入部２２０）において第２の無線通信部２３１と対向する壁部には凸部２３２が設けられており、第２の無線通信部２３１は凸部２３２の凸面と対向している。
【００３１】
撮像装置１００への外部接続装置２００の装着が完了すると、凸部２３２と凹部１７２とがＺ方向で対向し、このときの凹部１７２の凹面と凸部２３２の凸面との間の距離ｄ２は、距離ｄ１よりも短くなるように構成されている。こうして、第１の無線通信部１０８と第２の無線通信部２３１を、良好な無線通信性能を得ることが可能な距離に配置することが可能となっている。
【００３２】
なお、第１の無線通信部１０８と第２の無線通信部２３１の間に存在する電池室１７０を形成している壁部と通信部２３０（挿入部２２０）を形成している壁部は共に樹脂で形成されている。そのため、これらの壁部が、第１の無線通信部１０８と第２の無線通信部２３１との間で行われる無線通信を妨げることはない。
【００３３】
また、凹部１７２と凸部２３２を外部記憶媒体用コネクタ１３１の−Ｙ方向側（撮像システム１０００が正姿勢にあるときの下側）に設けることで、撮像装置１００のＺ方向での厚みを増加させることなく、省スペースな構成が実現されている。更に、メイン基板１３０は、Ｙ方向において第１の無線通信部１０８と外部記憶媒体用コネクタ１３１との間で、ビス１３２により電池室１７０に固定されている。こうして、第１の無線通信部１０８の近傍でメイン基板１３０を電池室１７０に確実に固定することにより、第１の無線通信部１０８の近傍においてメイン基板１３０に反りや浮き等が発生するのを抑制することができる。その結果、第１の無線通信部１０８と第２の無線通信部２３１との位置関係にずれが生じ難くなることで、良好な無線通信性能を維持することが可能となる。
【００３４】
次に、本発明の第２実施形態に係る撮像装置システムについて説明する。図６（ａ）は、第２実施形態に係る撮像システム１０００Ａを正面側から見た外観斜視図である。図６（ｂ）は、撮像システム１０００Ａを背面側から見た外観斜視図である。撮像システム１０００Ａは、撮像装置１００Ａと、外部接続装置２００Ａとを有する。撮像装置１００Ａの構成要素のうち、第１実施形態で説明した撮像装置１００の構成要素の同等の機能を有するものについては、同じ符号を付すものとする。また、外部接続装置２００Ａの構成要素のうち、第１実施形態で説明した外部接続装置２００の構成要素の同等の機能を有するものについては、同じ符号を付すものとする。以下、撮像システム１０００Ａの構成について、第１実施形態に係る撮像システム１０００との相違点を中心に説明し、撮像システム１０００と共通する説明を省略する。
【００３５】
図７は、撮像装置１００Ａを底面側から見た外観斜視図である。撮像装置１００Ａの底面の大部分は、底面カバー１５４によって覆われている。底面カバー１５４には、外部接続装置２００Ａを固定するための三脚穴１１４と、撮像装置１００Ａに外部接続装置２００Ａを装着する際の位置決め用の穴１１５ａ，１１５ｂが設けられている。また、底面カバー１５４からは、外部接続装置２００Ａとの電気的接続に用いられる第１の接続端子１０７が外観に露出している。なお、撮像装置１００Ａの機能ブロックは、図２に示した撮像装置１００の機能ブロックに準じている。
【００３６】
図８は、外部接続装置２００Ａの外観斜視図である。外部接続装置２００Ａの上面は上面カバー２５０によって覆われており、撮像装置１００Ａに外部接続装置２００Ａが装着されると、撮像装置１００Ａの底面カバー１５４と外部接続装置２００Ａの上面カバー２５０とが当接する。上面カバー２５０には、外部接続装置２００Ａを撮像装置１００Ａに装着する際の位置決め用のピン２５２ａ，２５２ｂと設けられている。また、上面カバー２５０からは、撮像装置１００Ａとの電気的接続に用いられる第２の接続端子２２１が＋Ｙ方向に突出している。第２の接続端子２２１が撮像装置１００Ａの第１の接続端子１０７に接続されると、外部接続装置２００Ａから撮像装置１００Ａへの給電が可能となる。なお、外部接続装置２００Ａの機能ブロックは、図２に示した外部接続装置２００の機能ブロックに準じている。
【００３７】
上面カバー２５０には突起部２５１が設けられており、図６（ｂ）に示すように、撮像装置１００Ａに外部接続装置２００Ａが装着された状態では、突起部２５１は撮像装置１００Ａの背面の一部に当接する。突起部２５１は、撮像装置１００Ａに外部接続装置２００Ａが装着された状態で落下等の衝撃が加わった際に、撮像装置１００Ａに対する外部接続装置２００Ａの回転ずれを抑制する機能を有する。これにより、第１の接続端子１０７と第２の接続端子２２１に過大な負荷が作用して破損しまうのを抑制することができる。
【００３８】
図９は、撮像装置１００Ａの分解斜視図である。なお、図９では、背面カバー１５３以外のカバー（上面カバー１５１、前面カバー１５２及び底面カバー１５４）の図示を省略している。図９に示したように撮像光軸方向に配置された、撮像センサ１０３が実装された撮像基板１３５、メイン基板１３０及び背面カバー１５３は、複数のビス（不図示）でメインベース１６０に固定される。
【００３９】
図１０は、撮像装置１００Ａの背面部の分解斜視図である。撮像装置１００Ａの背面部には、第１の操作検出部１０９と第１の無線通信部１０８を実装したＦＰＣ１５５（第２の基板）が配置されている。こうして、第１の無線通信部１０８を実装する専用基板を必要としない構成となっている。ＦＰＣ１５５は、金属板１５６に両面テープ等で固定されている。金属板１５６は、第１の操作部材１１０が操作された際の荷重によりＦＰＣ１５５が変形しないようにする機能を有する。但し、第１の無線通信部１０８の周辺に導電部材が存在すると無線通信性能が低下してしまうため、金属板１５６は、撮像光軸方向から見たときに第１の無線通信部１０８と重畳しない形状に設計されており、ビス１５７により背面カバー１５３に固定されている。
【００４０】
背面カバー１５３には、ＥＭＩ対策等のために、導電性材料が用いられることがある。その場合に、第１の無線通信部１０８の無線通信性能を確保するため、背面カバー１５３において第１の無線通信部１０８と対向する位置には開口部１５３ａが設けられている。開口部１５３ａは、第１の無線通信部１０８よりも大きい。つまり、撮像光軸方向から見たときに、開口部１５３ａの投影領域内に第１の無線通信部１０８が納まる。背面カバー１５３の外側には、撮影者が撮像装置１００Ａを把持しやすくするためのラバー１５８（ゴム部材）が取り付けられており、外観から開口部１５３ａが見えなくなるように、開口部１５３ａを覆っている。なお、背面カバー１５３が樹脂等の誘電性材料からなる場合には、開口部１５３ａを設ける必要はない。
【００４１】
図１１（ａ）は、外部接続装置２００Ａを背面側から見た分解斜視図である。外部接続装置２００Ａは、第２の操作検出部２０４と第２の無線通信部２３１を実装したＦＰＣ２５５（第３の基板）を有する。こうして、第２の無線通信部２３１を実装する専用基板を必要としない構成となっている。ＦＰＣ２５５は、外部接続装置２００Ａの骨格を形成するベース部材２５６に不図示の両面テープ等で固定されている。ベース部材２５６は、第２の無線通信部２３１の無線通信性能を妨げないように、誘電性樹脂材料等の非導電性材料で形成されている。
【００４２】
外部接続装置２００Ａの背面の外観を形成する背面カバー２５７は、ビス２５３ａ，２５３ｂによりベース部材２５６に固定されている。ベース部材２５６の凸部２５６ａと背面カバー２５７の凸部２５７ａにより突起部２５１が形成されており、第２の無線通信部２３１は突起部２５１に内包されている。
【００４３】
図１１（ｂ）は、外部接続装置２００Ａの上面部の分解斜視図である。上面カバー２５０の下側（−Ｙ方向側）には、金属板２６０が配置されている。金属板２６０は、撮影者が外部接続装置２００を把持した際の剛性を高める機能と、撮影動作時に撮像装置１００Ａの内部で発生した熱を上面カバー２５０へ伝えて外部へ放熱させる機能を有する。
【００４４】
上面カバー２５０は、ビス２５８によりベース部材２５６に固定される。突起部２５１は、上面カバー２５０よりも撮像装置１００Ａ側（＋Ｙ方向側）に突出しており、突起部２５１に内包されている第２の無線通信部２３１もまた、上面カバー２５０よりも撮像装置１００Ａ側（＋Ｙ方向側）に配置される。これにより、金属板２６０に第２の無線通信部２３１の無線通信性能を確保するための開口部を設ける必要がないため、無線通信性能を確保しながら、外部接続装置２００Ａの剛性と放熱性能を維持することができる。
【００４５】
図１２は、図６に示す矢視Ｂ−Ｂでの部分的な断面図である。突起部２５１は撮像装置１００Ａの背面カバー１５３の開口部１５３ａよりも大きく、撮像光軸方向から見たときに、開口部１５３ａは突起部２５１の投影領域内に納まる。撮像装置１００Ａの背面カバー１５３は、第１の操作部材１１０が配置されている第１の面１５３ｂよりも撮像装置１００Ａの内部側へ（＋Ｚ方向側へ）凹んでいる第２の面１５３ｃを有する。第２の面１５３ｃは撮像センサ１０３（不図示）の結像面と略平行となっており（つまり、第２の面１５３ｃは撮像光軸と直交しており）、第１の無線通信部１０８はＺ方向で第２の面１５３ｃと対面した位置に配置されている。
【００４６】
一方、外部接続装置２００Ａの突起部２５１はＺ方向において第２の面１５３ｃと対面する位置に配置されており、第２の無線通信部２３１はＺ方向において第１の無線通信部１０８と対向する位置に配置されている。つまり、第２実施形態でも、第１実施形態と同様に、第１の無線通信部１０８と第２の無線通信部２３１とは、撮像装置１００Ａに対する外部接続装置２００Ａの装着方向と直交する方向で対向している。
【００４７】
こうして、第１の無線通信部１０８と第２の無線通信部２３１との間の距離を短くすることが可能となっていることで、高い無線通信性能を得ることができる。また、背面カバー１５３に第２の面１５３ｃを設けることにより、Ｚ方向（突起部２５１の厚み方向）での突起部２５１の第１の面１５３ｂからの突出量を小さくすることができる。更に、第１の無線通信部１０８は、撮像装置１００Ａの底面カバー１５４側（撮像装置１００Ａに対する外部接続装置２００Ａの装着面側である−Ｙ方向側）に配置されている。これにより、上面カバー２５０から撮像装置１００Ａ側（＋Ｙ方向側）への突起部２５１の突出高さを低くすることができる。こうして、コンパクトな突起部２５１の形成が可能となっていることで、撮像システム１０００Ａの全体の大型化を回避することができ、また、突起部２５１が撮像システム１０００Ａを操作する際の障害になるのを回避することができる。
【００４８】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【符号の説明】
【００４９】
１００，１００Ａ    撮像装置
１０３    撮像センサ
１０４    画像処理部
１０８    第１の無線通信部
１３０    メイン基板
１３１    外部記憶媒体用コネクタ
１５３    背面カバー
１５３ａ    開口部
１５３ｃ    第２の面
１５４    底面カバー
１５５    ＦＰＣ
１７０    電池室
１７２    凹部
２００，２００Ａ    外部接続装置
２２０    挿入部
２３１    第２の無線通信部
２３２    凸部
２４０    制御基板
２５０    上面カバー
２５１    突起部
２５５    ＦＰＣ
１０００，１０００Ａ    撮像システム
【図１】
2020170109.tif 000003
【図２】
2020170109.tif 000004
【図３】
2020170109.tif 000005
【図４】
2020170109.tif 000006
【図５】
2020170109.tif 000007
【図６】
2020170109.tif 000008
【図７】
2020170109.tif 000009
【図８】
2020170109.tif 000010
【図９】
2020170109.tif 000011
【図１０】
2020170109.tif 000012
【図１１】
2020170109.tif 000013
【図１２】
2020170109.tif 000014